(57)【特許請求の範囲】
【請求項１】
一端にコンバータが取り付けられたコンバータ支持アームの他端から外方へ突出させた取付部を、アンテナベースに設けられた受け口に差し込むことによって、コンバータ支持アームをアンテナベースに取り付けるように構成したパラボラアンテナであって、
前記受け口は、アンテナベースの下方において、反射板の前方に向かって開口するように構成されており、
前記取付部には、凸部が設けられるとともに、
前記受け口の内部には、その凸部が嵌合する嵌合孔が設けられ、
前記凸部は、前記取付部の長手軸線に直交する方向へ突出させたものであり、
更に、前記受け口には、前記取付部の凸部を嵌合孔に嵌合させた状態を固定及び解除することができるロック機構が備えられており、
前記凸部の上端と前記取付部の肩部が、受け口の上面の延長線上に位置するように、コンバータ支持アームを傾斜させ、この状態で前記取付部を受け口内に差し込み、前記肩部を軸として前記コンバータ支持アームを回転させると、前記凸部が嵌合孔に嵌合するとともに、取付部の段部と前記ロック機構の段部とが係合し、これにより、前記肩部を中心とする先端部の下方への回動が抑止され、前記凸部が嵌合孔へ嵌合した状態でロックされるように構成されていることを特徴とするパラボラアンテナ。
【請求項２】
前記凸部が形成されている面の反対側の面であって、コンバータ支持アームの本体に隣接した部位に、円弧状部が形成されていることを特徴とする、請求項１に記載のパラボラアンテナ。
【発明の詳細な説明】
【０００１】
【発明の属する技術分野】
本発明は、パラボラアンテナに関し、特にコンバータ支持アームの着脱が容易で、かつ、充分な強度をもってコンバータを支持することができる構造のパラボラアンテナに関する。
【０００２】
【従来の技術】
パラボラアンテナは、一般に、反射板と、コンバータと、コンバータを支持するコンバータ支持アームとによって構成されている。パラボラアンテナは、通常は屋外に設置されるものであるため、次のようなアクシデントが生じ得る。コンバータ支持アームは、反射板の開口前方にコンバータを固定すべく、反射板の下方から前方へ突出するようになっているため、物が引っかかってしまうことがある。特に一般家庭においては、パラボラアンテナはベランダに設置されることが多く、このため、ベランダに干してある洗濯物や布団などが風で飛ばされて、コンバータ支持アームに引っかかってしまうことがある。
【０００３】
従来からコンバータ支持アームは、このようなアクシデントに備えて、充分な強度をもって反射板に取り付けられている。例えば、従来のパラボラアンテナは、図６に示すように、コンバータ支持アーム４の取付部４ｂにねじ孔４ｃ，４ｄを設け、これらのねじ孔４ｃ，４ｄを介して、コンバータ支持アーム４を反射板２裏面のアンテナベース３にねじ留めするように構成されているようなものが多い。
【０００４】
【発明が解決しようとする課題】
しかしながら、パラボラアンテナは、作業者が足場を確保できないような場所に設置される場合も多いため、現場においてコンバータ支持アームをいちいちねじ留めしなければならないとすると、作業が煩雑となってしまう。また、パラボラアンテナの設置後において、コンバータやケーブルの交換作業の際にも、作業遅延の原因となってしまう。
【０００５】
更に、コンバータ支持アームを反射板の裏面において固定しようとすると、コンバータ支持アームの取付部を反射板裏面まで延設する必要があり、必然的にコンバータ支持アームの全長が長くなってしまうという問題がある。
【０００６】
本発明は、かかる問題を解決すべくなされたものであって、上述した従来のものに比べ、コンバータ支持アームの着脱が容易で、コンバータ支持アームの全長も短くてすみ、かつ、充分な強度をもってコンバータを支持することができる構造のパラボラアンテナを提供することを目的とする。
【０００７】
【課題を解決するための手段】
上記目的を達成するため、本発明によるパラボラアンテナは、一端にコンバータが取り付けられたコンバータ支持アームの他端から外方へ突出させた取付部を、アンテナベースに設けられた受け口に差し込むことによって、コンバータ支持アームをアンテナベースに取り付けるように構成したパラボラアンテナであって、前記取付部には、凸部が設けられるとともに、前記受け口の内部には、その凸部が嵌合する嵌合孔が設けられ、前記凸部は、前記取付部の長手軸線に直交する方向へ突出させたものであり、更に、前記受け口には、前記取付部の凸部を嵌合孔に嵌合させた状態を固定及び解除することができるロック機構が備えられており、前記凸部の上端と前記取付部の肩部が、受け口の上面の延長線上に位置するように、コンバータ支持アームを傾斜させ、この状態で前記取付部を受け口内に差し込み、前記肩部を軸として前記コンバータ支持アームを回転させると、前記凸部が嵌合孔に嵌合するとともに、取付部の段部と前記ロック機構の段部とが係合し、これにより、前記肩部を中心とする先端部の下方への回動が抑止され、前記凸部が嵌合孔へ嵌合した状態でロックされるように構成されていることを特徴としている。
【０００８】
尚、前記ロック機構は、前記受け口の奥部において、前記嵌合孔が形成されている面から、反対側の面に向けて延出するように形成された板状部材に、前記嵌合孔に対向する面を有する段部が設けられてなることが好ましい。
【０００９】
また、前記凸部が形成されている面の反対側の面であって、コンバータ支持アームの本体に隣接した部位に、円弧状部が形成されていることが好ましく、これらの特徴によって、コンバータ支持アームをアンテナベースに簡単に、かつ、充分な強度をもって取り付けることができ、また、その取り外しも簡単に行うことができるパラボラアンテナを実現することができる。
【００１０】
【発明の実施の形態】
以下、図面を参照しながら、本発明によるパラボラアンテナの実施形態を説明する。図１は、本発明によるパラボラアンテナ１の斜視図である。この図において、２は反射板であり、その裏面にはアンテナベース３が取り付けられている。このアンテナベース３の下方には、反射板２の前方に向かって開口する受け口１５が設けられている。
【００１１】
４はコンバータ支持アームであり、その本体４ａの一端にはコンバータ５が取り付けられ、他端には、取付部４ｂが設けられている。そして、このパラボラアンテナ１は、取付部４ｂを受け口１５内に差し込むことによって、コンバータ支持アーム４をアンテナベース３に取り付けることができ、反射板２の開口前方においてコンバータ５を固定し、支持することができるようになっている。
【００１２】
図２は、図１に示したコンバータ支持アーム４の取付部４ｂの拡大斜視図であり、図３は、その側面図である。これらの図からも明らかなように、取付部４ｂの先端部２１には、取付部４ｂの長手軸線Ｇと直交する方向に突出させた凸部１１，１１が設けられ、その反対側の面には、凸部１１の突出方向と直交する面であって、後述する受け口のロック機構に係合する面（係合面）２２を有する段部１２が設けられている。
【００１３】
また、取付部４ｂの段部１２と同じ側の面（本実施形態においては、下面２４）であって、コンバータ支持アーム４の本体４ａに隣接した部位には、円弧状部１３が形成されている。尚、この円弧状部１３は、取付部４ｂの凸部１１と同じ側の面（本実施形態においては、上面２３）と本体４ａとが連接する取付部４ｂの肩部１４を中心軸とする円弧状をなすものである。
【００１４】
図４は、図１に示したアンテナベース３の受け口１５の内部構造を示す図である。この図からも明らかなように、受け口１５の内部は中空になっており、上面１９には嵌合孔１７，１７が設けられている。また、受け口１５の奥部には、上面１９から下方へ（反対側の面に向けて）延出するように形成された板状部材に、嵌合孔１７に対向する面（対向面）２６を有する段部１８が形成されてなるロック機構１６が設けられている。このロック機構１６は、受け口１５の上面１９以外の面とは接触しておらず、また、樹脂などの可撓性の材料によって形成されている。
【００１５】
図５は、コンバータ支持アーム４をアンテナベース３に取り付ける手順の説明図である。まず、（ａ）に示すように、コンバータ支持アーム４の凸部１１の上端と肩部１４が、受け口１５の上面１９の延長線上に位置するように、コンバータ支持アーム４を若干傾斜させる。
【００１６】
取付部４ｂは、このように傾斜させた状態において、段部１２の下端から凸部１１の上端までの高さ寸法Ｈが、受け口１５の下面２５から上面１９までの高さ寸法Ｊよりも小さくなるように設定されているので、（ｂ）に示すように、コンバータ支持アーム４を傾斜させたまま、取付部４ｂを受け口１５内に差し込むことができるようになっている。
【００１７】
そして、先端部２１が受け口１５の奥部のロック機構１６に突き当たるまで取付部４ｂが差し込まれると、ロック機構１６は、前述したように可撓性の材料によって形成されるとともに上面１９にのみ接続されているので、ロック機構１６は、撓んでその下部が外側へ押し出されるようになる。
【００１８】
また、取付部４ｂを傾斜させた状態における円弧状部１３の下端から肩部１４までの高さ寸法Ｋは、受け口１５の下面２５から上面１９までの高さ寸法Ｊとほぼ等しくなるように設定されているので、（ｂ）に示すように先端部２１が受け口１５の奥部のロック機構１６に突き当たるまで取付部４ｂを差し込むと、肩部１４が受け口１５の上面１９に接触した状態において、円弧状部１３の下端が受け口１５の下面２５に接触するような状態となる。
【００１９】
この状態で、コンバータ支持アーム４が水平となるように、取付部４ｂの肩部１４を軸としてコンバータ支持アーム４を回転させると、（ｃ）に示すように、取付部４ｂの凸部１１が、受け口１５の上面１９に形成されている嵌合孔１７に嵌合するとともに、取付部４ｂの段部１２とロック機構１６の段部１８とが係合するようになる。
【００２０】
尚、前述したように円弧状部１３は、肩部１４を中心軸とする円弧状に形成されたものであるので、取付部４ｂの肩部１４を軸としてコンバータ支持アーム４を回転させる際に、肩部１４を常に受け口１５の上面１９側に押しつける役目を果たし、これによってコンバータ支持アーム４の回転を円滑にするとともに、回転が完了した際にも、肩部１４と円弧状部１３が受け口１５の上面１９と下面２５の間にそれぞれ隙間なくはまり込んで、安定した取付状態を確保することができる。
【００２１】
このようにしてコンバータ支持アーム４がアンテナベース３に一旦取り付けられると、取付部４ｂの凸部１１が受け口１５の嵌合孔１７に嵌合しているので、コンバータ支持アーム４は、図５（ｃ）に示した矢印Ｒの方向への動きが制限されることになる。また、取付部４ｂの段部１２とロック機構１６の段部１８とが係合することによって、段部１２の係合面２２と段部１８の対向面２６とが当接し、肩部１４を中心とする先端部２１の下方への回動が抑止され、凸部１１が嵌合孔１７へ嵌合した状態でロックされることになる。このようにして、コンバータ支持アーム４を、アンテナベース３にしっかりと取り付けることができる。
【００２２】
一方、コンバータ支持アーム４をアンテナベース３から取り外すときは、つまみ２０を、図５（ｃ）に示した矢印Ｌの方向へ引っ張ることによって、取付部４ｂの段部１２とロック機構１６の段部１８との係合が解除され、これによって凸部１１の嵌合孔１７への嵌合をも解除することができ、図５（ｂ）に示すような、コンバータ支持アーム４を傾斜させた状態で、取付部４ｂを受け口１５内から引き抜くことができる。
【００２３】
【発明の効果】
以上に説明したように、本発明のパラボラアンテナによれば、アンテナベースにコンバータ支持アームをワンタッチで簡単に、かつ、充分な強度をもって取り付けることができ、また、その取り外しもワンタッチで簡単に行うことができる。
【００２４】
また、本発明のパラボラアンテナは、従来のパラボラアンテナのように、コンバータ支持アームの取付部を反射板裏面にまで延設する必要がなく、従来のものに比べてコンバータ支持アームの全長を短く構成することができる。
【図面の簡単な説明】
【図１】本発明によるパラボラアンテナ１の斜視図である。
【図２】図１に示したコンバータ支持アーム４の取付部４ｂの拡大斜視図である。
【図３】図１に示したコンバータ支持アーム４の取付部４ｂの側面図である。
【図４】図１に示したアンテナベース３の受け口１５の内部構造を示す図である。
【図５】図１に示したコンバータ支持アーム４をアンテナベース３に取り付ける手順の説明図である。
【図６】従来のパラボラアンテナ１の一例を示す図である。
【符号の説明】
１…パラボラアンテナ、
２…反射板、
３…アンテナベース、
４…コンバータ支持アーム、
４ａ…本体、
４ｂ…取付部、
４ｃ，４ｄ…ねじ孔、
５…コンバータ、
１１…凸部、
１２…段部、
１３…円弧状部、
１４…肩部、
１５…受け口、
１６…ロック機構、
１７…嵌合孔、
１８…段部、
１９…受け口の上面、
２０…つまみ、
２１…先端部、
２２…係合面、
２３…取付部の上面、
２４…取付部の下面、
２５…受け口の下面、
２６…対向面
【図１】
0003556828.tif 000002
【図２】
0003556828.tif 000003
【図３】
0003556828.tif 000004
【図４】
0003556828.tif 000005
【図５】
0003556828.tif 000006
【図６】
0003556828.tif 000007